(57)【要約】【課題】冬期には洗面脱衣室を暖房でき、夏季には洗面脱衣室を冷房してひやっとした涼しさを得ることができ、しかも、それを低コストで実現することができる洗面脱衣室用の空調システムを提供する。【解決手段】洗面脱衣室１とリビング２との間に廊下室３が備えられ、洗面脱衣室１とリビング２とがダクト７で連通されると共に、リビング２の空気をダクト７内を通じて洗面脱衣室１に送り込むファン８ａが備えられている。ファン駆動スイッチ９，１０はリビング２と洗面脱衣室１の両方に備えられている。【選択図】      図１
2004257709.tif 000002
【特許請求の範囲】
【請求項１】
洗面脱衣室と居間との間に他室が備えられ、
洗面脱衣室と居間とがダクトで連通されると共に、居間の空気をダクト内を通じて洗面脱衣室に送り込むファンが備えられていることを特徴とする洗面脱衣室用の空調システム。
【請求項２】
洗面脱衣室と居間とを仕切る壁に両室を連通する開口部が設けられ、該開口部に、居間の空気を洗面脱衣室に送り込むファンが設置されていることを特徴とする洗面脱衣室用の空調システム。
【請求項３】
ファン駆動スイッチが居間と洗面脱衣室の両方に備えられている請求項１又は２に記載の脱衣室用の空調システム。
【発明の詳細な説明】
【０００１】
【発明の属する技術分野】
本発明は、洗面脱衣室用の空調システムに関する。
【０００２】
【従来の技術】
洗面脱衣室での歯磨きや洗面、脱衣行為において、冬期の寒さや夏期の暑さを不快に感じることがある。そのため、冬期には、洗面脱衣室に電気ストーブを持ち込んだり、ビルトイン型の電気温風器を設置することがある。また、夏期には、扇風機を設置することが少なくない。
【０００３】
【発明が解決しようとする課題】
しかしながら、上記のような方法では、冬期には冬期用の機器を、夏期には夏季用の機器を使用しなければならず、厄介であるという問題がある。また、夏季は、扇風機で涼風を得ることはできるけれども、冷房の場合のようなひやっとした涼しさを得ることはできない。そこで、洗面脱衣室にヒートポンプ式の冷暖房空調機を設置することも考えられるが、それではコストが高くつく。
【０００４】
本発明は、上記のような従来の背景において、冬期には洗面脱衣室を暖房でき、夏季には洗面脱衣室を冷房してひやっとした涼しさを得ることができ、しかも、それを低コストで実現することができる洗面脱衣室用の空調システムを提供することを課題とする。
【０００５】
【課題を解決するための手段】
上記の課題は、洗面脱衣室と居間との間に他室が備えられ、
洗面脱衣室と居間とがダクトで連通されると共に、居間の空気をダクト内を通じて洗面脱衣室に送り込むファンが備えられていることを特徴とする洗面脱衣室用の空調システムによって解決される。
【０００６】
このシステムは、居間が、冬期には暖房され、夏季には冷房される点に着目し、居間での冷暖房の空調作用を洗面脱衣室に及ぼすことによって、洗面脱衣室の冷暖房を行うようにしたものである。即ち、本システムでは、ファンを駆動するだけで、居間の空気がダクトを通じて洗面脱衣室に送り込まれるようになされている極めて簡素なシステム構成を採用するものでありながら、冬期にファンを駆動すると、暖房されている居間の暖かい空気が洗面脱衣室に送り込まれて洗面脱衣室が暖房され、また、夏季にファンを駆動すると、冷房されている居間のひやっとした空気が洗面脱衣室に送り込まれて洗面脱衣室が冷房される。このように、ダクトとファンという簡素なシステム構成によって、洗面脱衣室を冬期は暖房、夏季は冷房することができる。
【０００７】
しかも、システムはダクトとファンを主たる構成要素とするものであるから、低コストでそれを実現することができる。熱源や冷源は居間の空気であるから、洗面脱衣室に熱源や冷源の設置スペースを確保する必要もなく、洗面脱衣室がシステムで狭められてしまうこともない。
【０００８】
加えて、洗面脱衣室と居間との間には、他室が備えられているが、洗面脱衣室と居間とはダクトで連通されているので、居間の空調作用が他室に及んで無駄な空調がなされるということもない。
【０００９】
また、上記の課題は、洗面脱衣室と居間とを仕切る壁に両室を連通する開口部が設けられ、該開口部に、居間の空気を洗面脱衣室に送り込むファンが設置されていることを特徴とする洗面脱衣室用の空調システムによっても同様に解決される。
【００１０】
即ち、洗面脱衣室と居間とが他室を介さず壁で仕切られているような場合であって、その壁に行き来用の開口部が備えられていないような場合に、ダクトレスで洗面脱衣室の冷暖房を行うことができる。
【００１１】
上記の各システムにおいて、ファン駆動スイッチが居間と洗面脱衣室の両方に備えられている場合は、冷暖房の行われる居間から洗面脱衣室での空調を開始することができて洗面脱衣室においてすぐに空調効果を享受することができ、また、洗面脱衣室で用事を終えたらその場で洗面脱衣室の空調を終了することができてコスト的に無駄な運転をなくすことができる。即ち、洗面脱衣室において必要充分でありながら経済的な空調運転を実現することができる。
【００１２】
【発明の実施の形態】
次に、本発明の実施形態を図面に基づいて説明する。
【００１３】
図１に示す第１実施形態の空調システムを適用する建物において、１は洗面脱衣室、２は居間としてのリビングであり、洗面脱衣室１とリビング２との間には、他室としての廊下室３が備えられている。即ち、リビング２と洗面脱衣室１とを廊下室３を介して連通させたのでは、廊下室３にもリビング２の空調作用が及んで無駄を生じ、また、洗面脱衣室１もリビング２の空調作用が効果的に及びにくいあるいは及ばない場合を対象としている。１５は、リビング２に備えられた冷暖房エアコンである。
【００１４】
上記のような建物において、リビング２の天井部に吸込口４が備えられると共に、洗面脱衣室１の天井部に吹出口５が備えられ、これら吸込口４と吹出口５とが天井裏空間部６においてダクト７で連通接続され、ファンユニット８のファン８ａによって、リビング２の空気が洗面脱衣室１内に送り込まれるようになされている。
【００１５】
本実施形態では、ファンユニット８は、洗面脱衣室１の吹出口５に直結され、ダクト７はこのファンユニット８とリビング２の吸込口４とを接続している。これによりダクト一本で洗面脱衣室１とリビング２とを連通することができる。なお、ファンユニットをリビングの吸込口に直結し、ファンユニットと洗面脱衣室の吹出口とをダクトで接続するようにしてもよい。また、リビングの吸込口とファンユニットとをダクトで接続すると共に、洗面脱衣室の吹出口とファンユニットとをダクトで接続するダクト２本構成にしてもよい。
【００１６】
そして、洗面脱衣室１とリビング２にはそれぞれ、ファンユニット８のファン８ａを駆動するスイッチ９，１０が備えられている。
【００１７】
上記の空調システムでは、冬期は、リビング２において、ヒートポンプ式空調機１５や床暖房、石油ストーブやガスストーブなどの機器で暖房がされており、入浴や歯磨き、洗面のために洗面脱衣室１に行こうとするときは、予め、リビング２でスイッチ９をオンにしてファン８ａを駆動しておく。すると、リビング２で暖められた空気は、吸込口４、ダクト７、吹出口５を通じて、洗面脱衣室１に送り込まれ、洗面脱衣室１はそれによって暖房されていく。なお、リビング２での暖房は一般的に温度設定型にされているのでファン８ａの駆動によってリビング２が冷やされてしまうことはない。
【００１８】
こうして、洗面脱衣室１が暖められたなら、リビング２から洗面脱衣室１に移動し、入浴のための脱衣や歯磨き、洗面等を行う。洗面脱衣室１に入るとそこは既に暖房されているから、入った当初に寒い思いをすることはない。そして、洗面脱衣室１での用事を終えたなら、その場でスイッチ１０を切り、洗面脱衣室１を出ていけばよい。
【００１９】
また、夏季も同様であり、リビング２において、ヒートポンプ式空調機１５で冷房がされており、入浴や歯磨き、洗面のために洗面脱衣室１に行こうとするときは、予め、リビング２でスイッチ９をオンにしてファン８ａを駆動しておく。すると、リビング２で冷やされた空気は、吸込口４、ダクト７、吹出口５を通じて、洗面脱衣室１に送り込まれ、洗面脱衣室１はそれによって冷房されていく。なお、リビング２での冷房も一般的に温度設定型にされているのでファン８ａの駆動によってリビング２の温度が上昇してしまうことはない。
【００２０】
こうして、洗面脱衣室１が冷房されたなら、リビング２から洗面脱衣室１に移動し、入浴のための脱衣や歯磨き、洗面等を行う。洗面脱衣室１に入るとそこは既に冷房されてひやっとしているから、入った当初に暑い思いをすることはない。そして、洗面脱衣室１での用事を終えたら、その場でスイッチ１０を切り、洗面脱衣室１を出ていけばよい。
【００２１】
このように、上記の空調システムでは、リビング２が、冬期には暖房され、夏季には冷房される点に着目し、リビング２での冷暖房の空調作用を洗面脱衣室１に及ぼすことによって、洗面脱衣室１で冷暖房が行われるようにしたものであり、ダクト７とファン８ａとによる極めて簡素なシステム構成によってコスト的に有利に洗面脱衣室を冬期は暖房、夏季は冷房することができる。
【００２２】
図２に示す第２実施形態は、リビング２の床面に吸込口４が備えられるとともに、洗面脱衣室１の床面に吹出口５が備えられ、これら吸込口４と吹出口５とが床下空間部１１においてダクト７で連通接続され、ファンユニット８のファン８ａによって、リビング２の空気が洗面脱衣室１内に送り込まれるようになされているものである。
【００２３】
また、図３に示す第３実施形態は、廊下室３の天井が下天井材１２の設置によってリビング２の天井や洗面脱衣室１の天井よりも低くなっており、リビング２の高所壁面に吸込口４が備えられるとともに、洗面脱衣室１の高所壁面に吹出口５が備えられ、これら吸込口４と吹出口５とが廊下室３の下天井１２の裏の空間部１３においてダクト７で連通接続され、ファンユニット８のファン８ａによって、リビング２の空気が洗面脱衣室１内に送り込まれるようになされているものである。
【００２４】
なお、ダクト７は、上記各実施形態のように見えない所を通すのがよいが、後付けでそのような設置が困難ないし不可能である場合には、廊下室３等の邪魔にならない所を通すようにしてもよい。
【００２５】
図４に示す第４実施形態は、洗面脱衣室１とリビング２とを仕切る壁１６に両室１，２を連通する開口部１７が設けられ、該開口部１７に、リビング２の空気を洗面脱衣室１に送り込むファン８ａが設置されているものである。洗面脱衣室と居間とが壁１６で仕切られているような場合であって、その壁１６に行き来用の開口部が備えられていないような場合に、ダクトレスで洗面脱衣室１の冷暖房を行うことができる。
【００２６】
以上に、本発明の実施形態を示したが、本発明はこれに限られるものではなく、発明思想を逸脱しない範囲で各種の変更が可能である。例えば、上記の実施形態ではリビング２を本発明における居間とした場合を示しているが、本発明ににおける居間はリビング２に限られるものではなく、要は、人が時間的に長く滞在する屋内空間部であって冷暖房が行われるところであればよく、リビングであるかダイニングであるかキッチンであるかを問わないし、洋室であるか和室であるかも問わない。また、廊下室３を他室とした場合を示しているが、その他の室であってもよい。
【００２７】
【発明の効果】
本発明は、以上のとおりのものであるから、冬期には洗面脱衣室を暖房でき、夏季には洗面脱衣室を冷房してひやっとした涼しさを得ることができ、しかも、それを低コストで実現することができる。
【図面の簡単な説明】
【図１】第１実施形態のシステムを示す断面図である。
【図２】第２実施形態のシステムを示す断面図である。
【図３】第３実施形態のシステムを示す断面図である。
【図４】第４実施形態のシステムを示す断面図である。
【符号の説明】
１…洗面脱衣室
２…リビング（居間）
３…廊下室（他室）
７…ダクト
８ａ…ファン
９…スイッチ
１０…スイッチ
１６…壁
１７…開口部
【図１】
2004257709.tif 000003
【図２】
2004257709.tif 000004
【図３】
2004257709.tif 000005
【図４】
2004257709.tif 000006